(57)【要約】【課題】  複数のナースコール親機が共通する制御機で制御されている場合に、任意のナースコール親機において勤務帯切替操作が成されると、制御機を共通としている他のナースコール親機も同時に勤務帯切替を実施するナースコールシステムを提供する。【解決手段】  同一の制御機５に制御される複数のナースコール親機３の何れかから勤務帯切替操作が行われたら、操作されたナースコール親機３から制御機５に対して勤務帯切替実施が通知され、制御機ＣＰＵ５５が全てのナースコール親機３に対して勤務帯切替信号を送信する。この勤務帯切替信号を受信した親機ＣＰＵ３８は、勤務帯切替を実施する。【選択図】  図１
2014179968.tif 000002
【特許請求の範囲】
【請求項１】
看護師を呼び出すためにベッド毎に設置されたナースコール子機と、前記ナースコール子機による呼び出しに応答するためにナースステーションに設置されたナースコール親機と、前記ナースコール子機による呼び出しに応答するために看護師が携行する複数の携帯端末と、前記ナースコール子機、前記ナースコール親機、前記携帯端末の間の通信を制御する制御機とを有するナースコールシステムにおいて、
同一の前記制御機に制御される前記ナースコール親機を複数具備し、
前記ナースコール親機が看護師の勤務帯切替に合わせて関連する情報を切り替えるための勤務帯切替制御部を具備する一方、前記制御機が前記ナースコール親機の勤務帯設定を管理する勤務帯切替管理部を具備し、
任意の前記ナースコール親機において勤務帯切替操作が成されたら、当該ナースコール親機の前記勤務帯切替制御部が前記制御機に対して勤務帯切替を通知すると共に、前記勤務帯切替の通知を受けた前記勤務帯切替管理部は、所定の条件を満たしている他の前記ナースコール親機に対して勤務帯切替信号を送信し、
前記勤務帯切替信号を受信した前記勤務帯切替制御部は、勤務帯切替操作が成された前記ナースコール親機に連動して勤務帯切替を実施することを特徴とするナースコールシステム。
【請求項２】
前記所定の条件が、前記勤務帯切替の通知を受けた時点で前記ナースコール親機及び当該ナースコール親機に関連付けられている前記携帯端末が待受状態にある場合であり、
前記勤務帯切替管理部は、前記勤務帯切替の通知を受けた時点で待受状態に無い前記ナースコール親機に対しては前記勤務帯切替信号の送信を保留し、待受状態への移行を受けて送信を実施することを特徴とする請求項１記載のナースコールシステム。
【請求項３】
前記所定の条件が、前記勤務帯切替の通知を受けた時点で前記ナースコール親機及び当該ナースコール親機に関連付けられている前記携帯端末が待受状態にある場合であり、
前記勤務帯切替管理部は、前記勤務帯切替の通知を受けた時点で待受状態に無い前記ナースコール親機に対して、勤務帯切替信号を送信しないことを特徴とする請求項１に記載のナースコールシステム。
【請求項４】
前記勤務帯切替管理部は、前記勤務帯切替信号を送信しなかった前記ナースコール親機に対して、勤務帯変更が未実施である旨を通知する所定のメッセージを表示させる制御を実施し、
前記メッセージ表示制御を受けた前記ナースコール親機は、表示部に前記所定のメッセージを表示することを特徴とする請求項３記載のナースコールシステム。
【請求項５】
前記勤務帯切替制御部或いは前記勤務帯切替管理部は、前記勤務帯変更未実施の表示後、所定時間が経過しても切替操作が行われなかったら、当該ナースコール親機において表示或いは報音により勤務帯切替を催促する動作を実施させることを特徴とする請求項４記載のナースコールシステム。
【請求項６】
前記ナースコール親機は複数のグループに分けられ、個々のナースコール親機は何れかの前記グループに所属すると共に、当該グループを前記制御機が記憶し、
前記所定の条件を満たし、且つ勤務帯切替操作が成された前記ナースコール親機が属しているグループの他の前記ナースコール親機に対して勤務帯切替信号を送信することを特徴とする請求項１乃至５の何れかに記載のナースコールシステム。
【発明の詳細な説明】
【技術分野】
【０００１】
本発明はナースコールシステムに関し、特に複数のナースコール親機が共通の制御機により制御されるナースコールシステムに関する。
【背景技術】
【０００２】
看護師は通常、日勤、準夜勤、夜勤と１日を３分割した勤務帯で順次交代することで入院患者に対して２４時間対応するのが一般的となっている。このような勤務形態の場合、看護に空白な時間ができないように勤務帯の切り替えが一斉に行われ、ナースコールシステムでは、勤務帯が切り替わる度にナースコール親機を操作して担当看護師データ等の内部データの変更が行われる。
特に、看護師が携帯端末を携行して、ナースステーションに居なくても患者からの呼び出しに応答できる構成においては、勤務帯が切り替わると変更された担当看護師に合わせて携帯端末の番号変更も必須であり、携帯端末データの切り替えを同時に実施しなければならなかった（例えば、特許文献１参照）。
【先行技術文献】
【特許文献】
【０００３】
【特許文献１】特開２００９−１１１７５４号公報
【発明の概要】
【発明が解決しようとする課題】
【０００４】
上述したように、携帯端末を具備したナースコールシステムでは、看護師が入れ替わったにも関わらず、ナースコール親機において勤務帯切替が行われていなければ、患者からの呼び出しに対して、携帯端末の呼び出しが適切に行われない事態が発生した。
【０００５】
一方で、従来のナースコールシステムでは、コストダウン等から１台の制御機が複数のナースコール親機を制御する形態がある。しかしながら、このような複数のナースコール親機が共通する制御機で制御される構成であっても、勤務帯切替はそれぞれのナースコール親機で行っており、全てのナースコール親機の切替操作を一斉に行うのは面倒であった。また、それぞれ操作する看護師が異なるため、切替忘れが発生する場合もあった。
そのため、タイマー制御で設定時刻になったら自動でシステムデータを切り替える変更形態も考えられるが、患者の処置中であったり緊急対応の患者が発生した場合等、時間で一律に勤務帯切替を実施するのは逆に混乱を招くこともあり、看護師により状況を見計らって切り替えるのが望まれている。
【０００６】
そこで、本発明はこのような問題点に鑑み、複数のナースコール親機が共通する制御機で制御されている場合に、任意のナースコール親機において勤務帯切替操作が成されると、制御機を共通としている他のナースコール親機も同時に勤務帯切替を実施するナースコールシステムを提供することを目的としている。
【課題を解決するための手段】
【０００７】
上記課題を解決する為に、請求項１の発明は、看護師を呼び出すためにベッド毎に設置されたナースコール子機と、ナースコール子機による呼び出しに応答するためにナースステーションに設置されたナースコール親機と、ナースコール子機による呼び出しに応答するために看護師が携行する複数の携帯端末と、ナースコール子機、ナースコール親機、携帯端末の間の通信を制御する制御機とを有するナースコールシステムにおいて、同一の制御機に制御されるナースコール親機を複数具備し、ナースコール親機が看護師の勤務帯切替に合わせて関連する情報を切り替えるための勤務帯切替制御部を具備する一方、制御機がナースコール親機の勤務帯設定を管理する勤務帯切替管理部を具備し、任意のナースコール親機において勤務帯切替操作が成されたら、当該ナースコール親機の勤務帯切替制御部が制御機に対して勤務帯切替を通知すると共に、勤務帯切替の通知を受けた勤務帯切替管理部は、所定の条件を満たしている他のナースコール親機に対して勤務帯切替信号を送信し、勤務帯切替信号を受信した勤務帯切替制御部は、勤務帯切替操作が成されたナースコール親機に連動して勤務帯切替を実施することを特徴とする。
この構成によれば、任意のナースコール親機において勤務帯切替操作を実施すると、他のナースコール親機も所定の条件を満たしていれば連動して勤務帯切替を実施するため、それぞれのナースコール親機において勤務帯切替を行う必要がなくなり、勤務帯切替忘れを防止できる。そして、切り替えは看護師の操作で行われるため、看護師の求めるタイミングで切り替えでき、現場が混乱することがない。
【０００８】
請求項２の発明は、請求項１に記載の構成において、所定の条件が、勤務帯切替の通知を受けた時点でナースコール親機及び当該ナースコール親機に関連付けられている携帯端末が待受状態にある場合であり、勤務帯切替管理部は、勤務帯切替の通知を受けた時点で待受状態に無いナースコール親機に対しては勤務帯切替信号の送信を保留し、待受状態への移行を受けて送信を実施することを特徴とする。
この構成によれば、勤務帯切替操作を行った時点で通話中等で待受状態にないナースコール親機があっても、待受状態への移行を待って切り替えが成されるため、通話終了を待って切替操作を行う必要が無く、看護師の負担を軽減できる。
【０００９】
請求項３の発明は、請求項１に記載の構成において、所定の条件が、勤務帯切替の通知を受けた時点でナースコール親機及び当該ナースコール親機に関連付けられている携帯端末が待受状態にある場合であり、勤務帯切替管理部は、勤務帯切替の通知を受けた時点で待受状態に無いナースコール親機に対して、勤務帯切替信号を送信しないことを特徴とする。
この構成によれば、切替対象のナースコール親機が通話中或いは関連する携帯端末が通話中等で待受状態で無い場合は勤務帯切替を実施しないため、看護師が緊急の処置等で使用中にあるナースコール親機の通話路が突然切断されるような事態に至ることが無く、看護師の負担を軽減できる。
【００１０】
請求項４の発明は、請求項３に記載の構成において、勤務帯切替管理部は、勤務帯切替信号を送信しなかったナースコール親機に対して、勤務帯変更が未実施である旨を通知する所定のメッセージを表示させる制御を実施し、ナースコール親機は表示部に所定のメッセージを表示することを特徴とする。
この構成によれば、ナースコール親機の表示から看護師は勤務帯切替が未実施であることを認識でき、切り替えずに放置される事態を防止できる。
【００１１】
請求項５の発明は、請求項４に記載の構成において、勤務帯切替制御部或いは勤務帯切替管理部は、勤務帯変更未実施の表示後、所定時間が経過しても切替操作が行われなかったら、当該ナースコール親機において表示或いは報音により勤務帯切替を催促する動作を実施させることを特徴とする。
この構成によれば、勤務帯切替操作が成されてから、所定時間が経過しても勤務帯切り替えが実施されないナースコール親機に対しては、切り替えを催促する表示等を実施するため、勤務帯切替が忘れられるのを防止できる。
【００１２】
請求項６の発明は、請求項１乃至５の何れかに記載の構成において、ナースコール親機は複数のグループに分けられ、個々のナースコール親機は何れかのグループに所属すると共に、当該グループを制御機が記憶し、所定の条件を満たし、且つ勤務帯切替操作が成されたナースコール親機が属しているグループの他のナースコール親機に対して勤務帯切替信号を送信することを特徴とする。
この構成によれば、同一の制御機が制御する複数のナースコール親機のうち、切替操作したナースコール親機と同一グループであって且つ所定の条件を満たしていれば、連動して勤務帯切替を実施する。よって、看護師の勤務時間帯が異なる病棟を跨いでナースコール親機が複数設置されても、ナースコール親機を同一の勤務時間帯でグループ分けすれば、１台の制御機により複数病棟のナースコール親機を制御することができ、システム全体のコストを低減できる。
【発明の効果】
【００１３】
本発明によれば、任意のナースコール親機において勤務帯切替操作を実施すると、他のナースコール親機も所定の条件を満たしていれば連動して勤務帯切替を実施するため、それぞれのナースコール親機において勤務帯切替を行う必要がなくなり、勤務帯切替忘れを防止できる。そして、切り替えは看護師の操作で行われるため、看護師の求めるタイミングで切り替えでき、現場が混乱することがない。
【図面の簡単な説明】
【００１４】
【図１】本発明に係るナースコールシステムの一例を示す構成図である。
【図２】ナースコール親機の回路ブロック図である。
【図３】制御機の回路ブロック図である。
【発明を実施するための形態】
【００１５】
以下、本発明を具体化した実施の形態を、図面を参照して詳細に説明する。図１は本発明に係るナースコールシステムの構成図であり、１はベッド毎に設置されて患者が看護師を呼び出して通話するためのナースコール子機、２は各病室の出入口に設置されて患者からの呼出発生を報知する表示灯２ａと液晶ディスプレイから成る患者名表示部２ｂとを備えた廊下灯、３はナースステーションに設置されて患者からの呼び出しを報知し、応答するためのナースコール親機、４は看護師が携行して患者からの呼び出しに応答するための携帯端末、５はナースコール子機１とナースコール親機３と携帯端末４の間の通信を制御する制御機、６は基地局７と携帯端末４との間の通信を管理する交換機である。
【００１６】
廊下灯２、ナースコール親機３、制御機５等はそれぞれＨＵＢ１０を介してＬＡＮ接続され、ナースコール子機１は病室毎に廊下灯２に伝送線Ｌ１を介して接続され、交換機６は伝送線Ｌ２を介して制御機５に接続されている。
【００１７】
ナースコール子機１は、呼出ボタン１ａと壁面に設置されて呼出ボタン１ａの接続部及び患者が看護師と通話するための通話部を備えたプレート子機１ｂとを有している。
【００１８】
ナースコール親機３は、患者と通話するためのハンドセットや報音部を備えた通話部３１、各種情報を表示する表示部３２、個々の患者の患者情報表示部Ｍが一覧表示されたボード部３３等を有し、ここでは３台のナースコール親機３（第１ナースコール親機３ａ〜第３ナースコール親機３ｃ）を１台の制御機５が制御する形態を示している。
図２はこのナースコール親機３の要部回路ブロック図を示している。図２に示すように、ナースコール親機３は表示部３２の表示を制御する表示処理部３５、表示部３２に組み付けられた操作部としてのタッチパネル３６、個々の患者の担当看護師情報等を記憶する担当看護師記憶部３７、ナースコール親機３全体を制御する親機ＣＰＵ３８、通話部３１で報音する報知音或いは通話部３１から入力される音声信号を処理する音声処理部３９、他のナースコール機器とＨＵＢ１０を介してＬＡＮ接続するための通信ＩＦ４０等を備えている。
【００１９】
携帯端末４はスマートフォンが適用され、各種情報を表示するディスプレイ４ａを有し、ディスプレイ４ａには応答操作等を行うタッチパネル４ｂが組み込まれている。そして、携帯端末４はナースコール親機３毎にグループ分けされ、それぞれのナースコール親機３に対して携帯端末４のグループが関連付けられている。
【００２０】
図３は制御機５の回路ブロック図を示している。図３に示すように、制御機５は、携帯端末４と看護師の対応関係を記憶する携帯端末／看護師関連テーブル記憶部５１、ナースコール親機毎の看護師チーム、換言すれば病棟毎のそれぞれの勤務帯を担当する看護師チームを記憶するチーム記憶部５２、患者とナースコール子機１との関係や担当医師や救護区分等の患者情報を記憶する患者情報記憶部５３、勤務帯切替情報等を記憶する情報記憶部５４、機器間の通信を制御すると共に制御機全体を制御する制御機ＣＰＵ５５、他のナースコール機器とＨＵＢ１０を介してＬＡＮ接続する第１通信ＩＦ５６、交換機７と通信する第２通信ＩＦ５７等を備えている。
【００２１】
上記の如く構成されたナースコールシステムの動作を次に説明する。最初に、基本動作である、ナースコール子機による呼び出し、及びその応答について簡単に説明する。
ナースコール子機１の呼出ボタン１ａが呼出操作されると、廊下灯２がそれを検知して、表示灯２ａを点灯して呼出発生を報知すると共に、患者名表示部２ｂに呼出元の患者情報を表示する。そして、病室番号及びベッド番号（子機番号）の呼出元情報が廊下灯２において呼出信号に添付されて制御機５に送信される。
【００２２】
呼出信号を受信した制御機５は、患者情報記憶部５３等から患者情報を入手し、呼出信号に添付してナースコール親機３へ送信する。このとき、患者情報記憶部５３等から呼出信号送信先のナースコール親機３が選択され、特定したナースコール親機３に対して呼出信号が送信される。
また、選択したナースコール親機３の担当看護師記憶部３７から担当看護師を読み取り、携帯端末／看護師関連テーブル記憶部５１から携帯端末４を選択して呼出信号を送信する。呼出信号は、交換機６、基地局７を介して携帯端末４へ送信される。
制御機５から呼出信号を受信したナースコール親機３は、呼出発生を報音通知すると共に、呼出信号に添付されている呼出元情報及び患者情報に基づいて表示部３２に患者氏名等の患者情報を表示する。また、呼出信号を受信した携帯端末４では、呼出音が鳴動すると共にディスプレイ４ａに患者情報が表示される。
【００２３】
こうして患者からの呼出発生を認識した看護師が応答操作すると、通話路が形成されて患者と通話が可能となる。具体的に、ナースコール親機３で応答操作すると、制御機５がナースコール親機３と呼出元のナースコール子機１との間の通話路を形成するし、携帯端末４で応答操作すると、同様に制御機５が、交換機６、基地局７を介して携帯端末４とナースコール子機１との間の通話路を形成する。
【００２４】
次に、勤務帯切替動作について説明する。但し、ここでは日勤、準夜勤、深夜勤の３交代制とし、日勤から準夜勤へ変更する場合を一例として説明する。また、勤務帯切替制御には、切替操作した際に通話路形成中のナースコール親機がある場合はそのナースコール親機に対して勤務帯切替を行わない制御と、通話路形成中のナースコール親機がある場合は通話終了を待って切替制御を実施する制御があり、まず通話路形成中のナースコール親機がある場合はそのナースコール親機に対しては勤務帯切替を実施しない制御を説明する。この制御の場合、従来のシステム構成から大きく変更することなく実施できる。
【００２５】
日勤と準夜勤の切り替わりが例えば１６時であるとすると、この勤務帯切替操作は１６時前後にいずれかのナースコール親機３において、担当看護師により実施される。例えば、第１ナースコール親機３ａのタッチパネル３６の所定の操作により、表示部３２に日勤から準夜勤に切り替える切替画面を表示させて、タッチ操作等で切替操作が行われる。
【００２６】
この操作を受けて、第１ナースコール親機３ａの親機ＣＰＵ３８は、担当看護師記憶部３７の情報を準夜勤のデータに切り替える。そして、制御機５に対して切替通知信号を送信する。
切替通知信号を受信した制御機５は、制御機ＣＰＵ５５が関連するデータを日勤のデータから準夜勤のデータに変更する。この切り替えにより、携帯端末／看護師関連テーブル記憶部５１、チーム記憶部５２の情報等が準夜勤のデータに切り替えられる。
【００２７】
また制御機ＣＰＵ５５は、通信を制御している全てのナースコール親機３の勤務帯切替状況を記憶しており、ここでは第２ナースコール親機３ｂ、及び第３ナースコール親機３ｃが勤務帯切替を実施していないため、この第２及び第３ナースコール親機３ｂ，３ｃに対して、勤務帯切替信号を送信する。
この信号を受けた第２及び第３ナースコール親機３ｂ，３ｃは、それぞれ親機ＣＰＵ３８が切替制御を実施して関連するデータを切り替えて、表示部３２に「準夜勤に切り替えました」等のメッセージを表示させる。
【００２８】
但し、制御機ＣＰＵ５５は、第１ナースコール親機３ａから切替通知信号を受信した時点で、ナースコール子機１とナースコール親機３との間で通話路が形成されている、或いはナースコール親機３に関連付けられている携帯端末４とナースコール子機１との間で通話路が形成されている等で待受状態に無い場合は、勤務帯切替信号をそのナースコール親機３に対して送信せず、代わりに所定のメッセージを表示させる制御を実施する。この制御を受けたナースコール親機３は、親機ＣＰＵ３８の制御で表示部３２に「勤務帯切替を保留しました」等のメッセージを表示させる。
【００２９】
例えば、第１ナースコール親機３ａにおいて勤務帯切替操作が成された際に、第２ナースコール親機３ｂ、或いは第２ナースコール親機３ｂに関連付けられている携帯端末４が患者と通話中である場合、制御機５は第２ナースコール親機３ｂに対して勤務帯切替信号を送信せず、所定のメッセージ表示制御を実施する。この制御を受けて第２ナースコール親機３ｂでは「勤務帯切替を保留しました」等が表示される。尚、これらのメッセージはナースコール親機３に予め記憶されている。
【００３０】
更に、制御機ＣＰＵ５５は、勤務帯切替信号を送信しなかったナースコール親機３を監視し、他のナースコール親機３を切り替えてから所定時間（例えば２０分）が経過しても切り換えが成されなかった場合、切り換えを催促する勤務帯切替催促信号を送信する。
この信号を受けたナースコール親機３は、「勤務帯切替を実施してください」等のメッセージを表示すると共に、警告音を報音する。
そして、これらの制御は他の勤務帯切り替え、例えば深夜勤から日勤への切替時も同様に実施される。
【００３１】
このように、任意のナースコール親機３において勤務帯切替操作を実施すると、他のナースコール親機３も所定の条件を満たしていれば連動して勤務帯切替を実施するため、それぞれのナースコール親機３において勤務帯切替を行う必要がなくなり、勤務帯切替忘れを防止できる。そして、切り替えは看護師の操作で行われるため、看護師の求めるタイミングで切り替えでき、現場が混乱することがない。
また、切替対象のナースコール親機３が通話中或いは関連する携帯端末が通話中等で待受状態でない場合は勤務帯切替を実施しないため、看護師が緊急の処置等で使用中にあるナースコール親機の通話路が突然切断されるような事態に至ることが無く、看護師の負担を軽減できる。
更に、制御機５により勤務帯切り替えを実施しなかったナースコール親機３は、表示部に勤務帯変更が未実施である旨が表示されるため、看護師は切り替えが未実施であることを認識でき、切り替えずに放置される事態を防止できる。
また、制御機５が勤務帯切替制御を実施後、所定時間が経過しても勤務帯切り替えが成されないナースコール親機３は、切り替えを催促する表示等を実施するため、勤務帯切替が忘れられるのを防止できる。
【００３２】
また、上記実施形態では１台の制御機５が管理する全てのナースコール親機３に対して同時に勤務帯切替を実施する制御を説明したが、ナースコール親機３をグループ分けして、勤務帯切替操作が成されたナースコール親機３が所属するグループのナースコール親機３のみ連動させて、上述したように待受状態にあれば勤務帯切替を行うよう構成しても良い。この制御は、制御機５がグループを記憶して上記実施形態と同様の制御を行うことで実施できる。
その結果、看護師の勤務時間帯が異なる病棟を跨いでナースコール親機３が複数設置されても、ナースコール親機３を同一の勤務時間帯でグループ分けすれば、１台の制御機５により複数病棟のナースコール親機３を制御することができ、システム全体のコストを低減できる。
【００３３】
次に、通話中等で待受状態に無い機器に対しては待受状態への移行を待って切替制御を実施する制御を説明する。ここでは、切替操作した段階で、第３ナースコール親機３ｃが通話中であるとして説明する。
上記切り替えと同様に、日勤と準夜勤の切り替わり等の勤務帯切替時刻になったら、いずれかのナースコール親機３において担当看護師により切替操作が実施される。例えば、第１ナースコール親機３ａのタッチパネル３６の所定の操作により、表示部３２に日勤から準夜勤に切り替える切替画面を表示させて、タッチ操作等で切替操作が行われる。
【００３４】
この操作を受けて、第１ナースコール親機３ａの親機ＣＰＵ３８は、担当看護師記憶部３７の情報を準夜勤のデータに切り替える。そして、制御機５に対して切替通知信号を送信する。
切替通知信号を受信した制御機５は、制御機ＣＰＵ５５が関連するデータを日勤のデータから準夜勤のデータに変更する。この切り替えにより、携帯端末／看護師関連テーブル記憶部５１、チーム記憶部５２の情報等が準夜勤のデータに切り替えられる。
【００３５】
そして制御機ＣＰＵ５５は、勤務帯切替を実施していない第２ナースコール親機３ｂ、第３ナースコール親機３ｃに対して勤務帯切替制御を開始するが、第３ナースコール親機３ｃが通話中（又は、第３ナースコール親機３ｃに関連付けられている携帯端末４が通話中）であって待受状態にないため、先ず第２ナースコール親機３ｂに対してのみ勤務帯切替信号を送信する。尚、制御機５により全ての機器の通話路の接続／切断の制御が実施されるため、制御機ＣＰＵ５５は、常時通話路形成中の機器を把握している。
【００３６】
勤務帯切替信号を受信した第２ナースコール親機３ｂは、親機ＣＰＵ３８の制御により切り替えが実施されて関連するデータが切り替えられ、表示部３２に「準夜勤に切り替えました」等のメッセージが表示される。
一方、勤務帯切替信号の送信が保留された第３ナースコール親機３ｃは、通話が終了して終話操作されると、制御機５が通話路切断制御を実施して待受状態に移行するため、制御機ＣＰＵ５５は待受状態への移行を受けて第３ナースコール親機３ｃに対して勤務帯切替信号を送信する。
こうして、第２ナースコール親機３ｂの場合と同様に切り替えが実施され、表示部３２に「準夜勤に切り替えました」等のメッセージが表示される。
【００３７】
このように、勤務帯切替操作を行った時点で通話中等で待受状態にないナースコール親機３があっても、待受状態への移行を待って切り替えが成されるため、通話終了等を待って切替操作を行う必要が無く、看護師の負担を軽減できる。
【００３８】
尚、この待受状態への移行を待って自動で勤務帯切替制御を行う構成の場合も、上述したようにナースコール親機３をグループ分けしてグループ毎に勤務帯切替制御を行っても良い。
また、上記図１では、３台のナースコール親機３（３ａ〜３ｃ）を同一の制御機５が制御する構成を示しているが、１台の制御機５が制御するナースコール親機３の数は３台に限定するものでなく、ナースステーションの数等により変更されるものである。
更に、３交代の場合を説明したが、勤務帯としては２交代制の病院もあるし、更に細分化された形態もある。何れの場合の上記形態を容易に適用できる。
また、担当看護師記憶部３７をナースコール親機３に設け、携帯端末／看護師関連テーブル記憶部５１等を制御機５に設けているが、これらの記憶部は個々のナースコール親機３に設けても良いし、制御機５に一括して設けても良い。
【符号の説明】
【００３９】
１・・ナースコール子機、３・・ナースコール親機、４・・携帯端末、５・・制御機、３２・・表示部、３６・・タッチパネル（操作部）、３８・・親機ＣＰＵ（勤務帯切替制御部）、５５・・制御機ＣＰＵ（勤務帯切替管理部）。
【図１】
2014179968.tif 000003
【図２】
2014179968.tif 000004
【図３】
2014179968.tif 000005